(57)【要約】【課題】調理具が、鍋からすべり落ちるのを防ぎ、一時的に仮置きができる耐熱性、耐冷性に富んだ素材を用いた事を特徴とした仮置き具を提供する。【解決手段】耐熱、耐冷性に優れたシリコーンゴムのような素材を用い、幅広Ｕ字状、Ｃ字状の本体部を形成し、本体部の二つの外壁面の中央部適所に同様の幅広Ｕ字状、Ｃ字状の本体部よりも幾分小さめな掛け部を接合し、掛け部のＵ字状、Ｃ字状の先端開口部は本体部の先端開口部と９０度に交差させ、本体部の内壁面には山谷波形や刷毛状やエンボス状の凹凸のある滑り止め部を設け、滑り止め部の最奥部によって区画されたＵ字状溝Ｒ部を設けた事を特徴とする調理具の仮置き具。【選択図】図１
2013027679.tif 000002
【特許請求の範囲】
【請求項１】
耐熱、耐冷性に優れたシリコーンゴムのような素材を用い、幅広Ｕ字状、Ｃ字状の本体部を形成し、本体部の二つの外壁面の中央部適所に同様の幅広Ｕ字状、Ｃ字状の本体部よりも幾分小さめな掛け部を接合し、掛け部のＵ字状、Ｃ字状の先端開口部は本体部の先端開口部と９０度に交差させ、本体部の内壁面には山谷波形や刷毛状やエンボス状の凹凸のある滑り止め部を設け、滑り止め部の最奥部に区画されたＵ字状溝Ｒ部を設けた事を特徴とする調理具の仮置き具。
【発明の詳細な説明】
【技術分野】
【０００１】  本発明は、調理中や配膳中に箸やゴムベラ、しゃもじ、おたま等の調理具が鍋やボウル等の調理器具からすべり落ち、料理の中に倒れて沈むのを防ぐ事と、調理途中の用具の一時仮置きを特徴とした調理具仮置き具に関するものである。
【背景技術】
【０００２】  従来、杓子や鍋蓋等の縁に嵌め込むスリットと皿などの縁に嵌め込むスリットの用途を別にする２種類のスリットを設けた「ホルダー」等が知られている。（特許文献１参照）。
【特許文献１】特許公開２００６−０５１１６７号公報
【発明の開示】
【発明が解決しようとする課題】
【０００３】  そのために、次のような問題点があった。
（イ）上記特許文献に示されたホルダーは、形状が球体の為、置いた場合安定しづらく、又不使用時の収納は紐にかけたりピンチで留めたりする事ができず場所を探さないといけないので収納に不便である。
（ロ）ボウルや皿等の縁に嵌め込んで使用するとの事だが、ボウルや皿の厚さはみな一定の寸法ではないので必ずしもきちんと嵌め込められるかどうかは分からない。
（ハ）調理中のおたま等を鍋からはずして置きたい場合、調理中の火を使っている忙しい時にサッと置きたいところだが、嵌め込み場所を確認していたのでは、吹きこぼれてしまう事も考えられ、効率が良いとは言いがたい。
（ニ）箸を一時的に仮置きする場合は、球体が２ケ必要で球体と球体の間に置くのだが、デザイン的に見てずんぐりしていて小さなボウルに使用した場合バランスが悪く、調理中の熱を帯びた鍋には使えない。
（ホ）鍋から取り出した箸やおたま等を一時的に置く物は他にもあるようだが、鍋の外と熱を帯びた鍋の中と、両方使用可能な物は無いようである。
（ヘ）球体の下部の開口部が狭く、複数回の使用により食物の残りかすやゴミ等がこびりつく可能性が考えられるが、綿棒や爪楊枝を差し込んで掃除をしたとしても狭すぎて完全に除去する事は難しく、雑菌の発生や繁殖等衛生面での心配がある。
本発明は、これらの問題点を解決する為になされたものである。
【課題を解決するための手段】
【０００４】  耐熱、耐冷性に優れたシリコーンゴムのような素材を用い、幅が大体３センチ〜５センチ程、長さ（深さ）４〜５センチ程の幅広Ｕ字状又はＣ字状の本体部を形成する。
Ｕ字状の場合、本体部の二つの外壁面のどちらかの壁面縁から少し内側の中央部に同様の幅広Ｕ字状の掛け部を接合するのであるが、掛け部のＵ字状先端開口部は本体部の先端開口部と９０度に交差するように設置させる。この掛け部のサイズは本体部よりも幾分小さめにする。
Ｃ字状の場合、本体部の先端開口部と反対側の外壁面に壁面縁から少し内側の中央部に同様の幅広Ｕ字状の掛け部を接合するのであるが、掛け部のＵ字状先端開口部は本体部の先端開口部と９０度に交差するように設置させる。この掛け部のサイズは本体部よりも幾分小さめにする。
本体部の内壁面には先端縁近くからＵ字状溝の最奥のＵ字状溝Ｒ部の手前までの範囲において、壁面縁と直交（先端開口部と平行）する形で、対向壁に向かって波型の山谷状を形成し波型滑り止め部とする。波型滑り止め部の最奥によって区画されたＵ字状溝Ｒ部は菜箸などを差込み置くのに最適の空間となる。
本発明は以上のような構成で、これを使用するときは、鍋やボウル等の端に本体（１）の掛け部（４）を掛け、調理中や配膳中の箸、へら、おたま等の調理具の調理具を一時休める場合に鍋の中に滑り落ちないように仮置きする。
本発明を鍋等に掛けて使用しない場合は、調理中の箸、へら、おたま、等を一時休めの置き台として使用することにより用具が直に触れるのを防ぐことができる。
【発明の効果】
【０００５】（イ）調理中に使用している箸やへら等を一時的に安定させる事が容易で、例えばスープやカレーを作った場合、倒れて中に沈むのを防ぐ事ができる。
（ロ）箸やへら、おたま等を鍋の中から取り出して外に仮置きする場合、直に接する事が無いので衛生的である。
（ハ）掛け部や本体がＵ字状、Ｃ字状のコンパクトな形状の為、曲がった部分を利用して適所に掛けて収納可能である。例えば台所の吊り棚のパイプ部分に掛けたり、シンク扉のとっ手に掛けて収納もできる。場所を取らず収納可能である。
（ニ）シリコン樹脂のような耐熱性に優れ、高温での調理にも耐えられ、鍋の中の調理中の食材に接しても安心である。
（ホ）シリコン樹脂のような耐冷性に優れた素材を用いることにより、冷却の必要のある料理にも耐えられる。
（ヘ）シリコン樹脂のような人体に無害の素材を用いることにより、高温での調理でも有毒ガスの発生など、人体に対する健康被害は心配ない。
（ト）配膳時には、箸やおたま等を鍋の中に安定して入れたままにできるので、料理の取り分けが容易にでき、便利である。
（チ）丸洗い可能で、掃除が簡単にできるので、衛生的である。
【発明を実施するための最良の形態】
【０００６】  以下、本発明の実施の形態について説明する。
耐熱、耐冷性に優れたシリコーンゴムのような素材を用い、幅が大体３センチ〜５センチ程、長さ（深さ）４〜５センチ程の幅広Ｕ字状の本体部（１）を形成する。
本体部（１）の二つの外壁面（２）のどちらかの  壁面縁（３）から少し内側の中央部に同様の幅広Ｕ字状の掛け部（４）を接合するのであるが、掛け部（４）のＵ字状先端開口部は本体部（１）の先端開口部（５）と９０度に交差するように設置させる。この掛け部（４）のサイズは本体部（１）よりも幾分小さめにする。
本体部（１）の内壁面には先端開口部（５）近くからＵ字状溝の最奥のＵ字状溝Ｒ部（６）の手前までの範囲において、壁面縁（３）と直交する形で、対向壁に向かって波型の山谷状を形成し波形滑り止め部（７）とする。波型滑り止め部（７）の最奥によって区画されたＵ字状溝Ｒ部（６）は菜箸などを差込み置くのに最適の空間となる。尚、本体部内壁面にある波型滑り止め部はエンボス状やブラシ状であっても効果的である。
本発明は以上のような構成で、これを使用するときは、鍋やボウル等の端に本体（１）の掛け部（４）を掛け、調理中や配膳中の箸、へら、おたま等の調理具を一時休める場合に鍋の中に滑り落ちないように仮置きする。
本発明を鍋等に掛けて使用しない場合は、調理中の箸、へら、おたま等を一時休めの置き台として使用することにより用具が直に触れるのを防ぐことができる。
【図面の簡単な説明】
【０００７】
【図１】本発明Ｕ字型の斜視図
【図２】本発明Ｃ字型の斜視図
【図３】本発明の実施例を示す斜視図
【図４】本発明の別の実施例を示す斜視図
【図５】本発明の更に別の実施例を示す斜視図
【図６】特許文献１参照の参考図
【符号の説明】
【０００８】１  本体部
２  外壁面
３  壁面縁
４  掛け部
５  先端開口部
６  Ｒ部
７  波形滑り止め部
【図１】
2013027679.tif 000003
【図２】
2013027679.tif 000004
【図３】
2013027679.tif 000005
【図４】
2013027679.tif 000006
【図５】
2013027679.tif 000007
【図６】
2013027679.tif 000008